(57)【要約】      （修正有）【課題】植付深さ調整レバー及び掻取り量調整レバーの両レバーを確実にガイド体に係止せしめることが可能な移植機の植付作業機を提供する。【解決手段】植付深さ調整レバー１８及び掻取り量調整レバー１９を、それぞれ揺動案内可能にガイド孔３７，３８に挿通するとともに位置調整可能にガイド体２１に係止し、上記２つのレバー１８，１９の少なくとも一方が、レバー１８からガイド体２１の側面側に突設された係止ピン３９と、該係止ピン３９を係止可能にガイド体２１の前記側面３４に穿設された複数の係止孔３４ａとにより、ガイド体２１に位置調整可能に係止される。【選択図】図５
2010226993.tif 000002
【特許請求の範囲】
【請求項１】
左右方向の横フレーム（１４）と、横フレーム（１４）に支持されて苗載せ台（９）から苗を掻取って圃場に植付ける植付部（１１）と、横フレーム（１４）の後方に配置され且つ植付部（１１）に対して上下位置調整可能に支持されて圃場に接地させるフロート（１２）と、横フレーム（１４）の後方に配置され且つ植付部（１１）に対して上下位置調整可能に支持されて苗載せ台（９）を支持するエプロン（２８）と、横フレーム（１４）上方を通過するように平面視前後方向に形成されるとともに横フレーム（１４）の後方箇所を支点に上下揺操作可能に支持された植付深さ調整レバー（１８）及び掻取り量調整レバー（１９）と、横フレーム（１４）から前面（３３）及び側面（３４）を有するように上方に突出形成されて該前面（３３）に上下方向のガイド孔（３７），（３８）が穿設されたガイド体（２１）とを備え、上記両レバー（１８），（１９）を、それぞれ揺動案内可能にガイド孔（３７），（３８）に挿通するとともに位置調整可能にガイド体（２１）に係止し、植付深さ調整レバー（１８）の上下揺動によって植付深さ調整レバー（１８）の後側と機械的に連結されたフロート（１２）の上下位置の変更を行うことにより植付深さ調整を行うとともに、掻取り量調整レバー（１９）の上下揺動によって掻取り量調整レバー（１９）の後側と機体的に連結されたエプロン（２８）の上下位置の変更を行うことにより植付部（１１）の苗載せ台（９）からの苗の掻取り量の調整を行う移植機の植付作業機において、上記２つのレバー（１８），（１９）の少なくとも一方が、レバー（１８）からガイド体（２１）の側面側に突設された係止ピン（３９）と、該係止ピン（３９）を係止可能にガイド体（２１）の前記側面（３４）に穿設された複数の係止孔（３４ａ）とにより、ガイド体（２１）に位置調整可能に係止される移植機の植付作業機。
【請求項２】
ガイド体（２１）を横フレーム（１４）よりも前方側に突出形成し、ガイド体（２１）の該突出部分に複数の係止孔（３４ａ）の少なくとも一部を位置させてなる請求項１の移植機の植付作業機。
【請求項３】
ガイド体（２１）の前面のガイド孔（３７）との隣接箇所に係止ピン（３９）を有するレバー（１８）の位置指標となるラベル（４２）を貼付し、該レバー（１８）からラベル（４２）側側方に指示部（４３）を突出形成し、該指示部（４３）によってラベル（４２）を指示す請求項１又は２の移植機の植付作業機。
【請求項４】
係止ピン（３９）を有するレバー（１８）から側方に係止プレート（４４）を突出形成し、該レバー（１８）が挿通されたガイド孔（３７）の係止プレート（４４）側側端部に、係止ピン（３９）を係止孔（３４ａ）に係止された状態のレバー（１８）の係止プレート（４４）を挿入係止できる左右方向の切欠き状の係止溝（３７ａ）を複数形成した請求項１，２又は３の移植機の植付作業機。
【発明の詳細な説明】
【技術分野】
【０００１】
植付深さ調整レバーと、苗載せ台からの苗の掻取り量の調整を行う掻取り量調整レバーとを備えた移植機の植付作業機に関する。
【背景技術】
【０００２】
この発明は、左右方向の横フレームと、横フレームに支持されて苗載せ台から苗を掻取って圃場に植付ける植付部と、横フレームの後方に配置され且つ植付部に対して上下位置調整可能に支持されて圃場に接地させるフロートと、横フレームの後方に配置され且つ植付部に対して上下位置調整可能に支持されて苗載せ台を支持するエプロンと、横フレーム上方を通過するように平面視前後方向に形成されるとともに横フレームの後方箇所を支点に上下揺操作可能に支持された植付深さ調整レバー及び掻取り量調整レバーと、横フレームから前面及び側面を有するように上方に突出形成されて該前面に上下方向のガイド孔が穿設されたガイド体とを備え、上記両レバーを、それぞれ揺動案内可能にガイド孔に挿通するとともに位置調整可能にガイド体に係止し、植付深さ調整レバーの上下揺動によって植付深さ調整レバーの後側と機械的に連結されたフロートの上下位置の変更を行うことにより植付深さ調整を行うとともに、掻取り量調整レバーの上下揺動によって掻取り量調整レバーの後側と機体的に連結されたエプロンの上下位置の変更を行うことにより植付部の苗載せ台からの苗の掻取り量の調整を行う特許文献１に示す移植機の植付作業機が公知である。
【先行技術文献】
【特許文献】
【０００３】
【特許文献１】特開平１０−１３６７３２号公報
【発明の概要】
【発明が解決しようとする課題】
【０００４】
上記文献の移植機は、植付深さ調整レバー及び掻取り量調整レバーのレバー操作により、圃場条件や作業条件等に合せて、植付深さ及び苗載せ台からの苗の掻取り量を適宜変更可能であるため、利便性が高いというメリットがある一方で、各レバーから側方に突出形成された係止プレートを、ガイド体のガイド孔の側端に切欠き状に形成された複数の係止溝の何れかに挿入係止することにより、レバーをガイド体に位置調整可能に係止するため、係止溝への係止プレートの挿入状態によっては、レバーの係止が不安定になる場合があるという課題がある。
本発明は、植付深さ調整レバーと、苗載せ台からの苗の掻取り量の調整を行う掻取り量調整レバーとを備え、植付深さ調整レバー及び掻取り量調整レバーの両レバーを確実にガイド体に係止せしめることが可能な移植機の植付作業機を提供することを目的とする。
【課題を解決するための手段】
【０００５】
上記目的を達成するため本発明は、第１に、左右方向の横フレーム１４と、横フレーム１４に支持されて苗載せ台９から苗を掻取って圃場に植付ける植付部１１と、横フレーム１４の後方に配置され且つ植付部１１に対して上下位置調整可能に支持されて圃場に接地させるフロート１２と、横フレーム１４の後方に配置され且つ植付部１１に対して上下位置調整可能に支持されて苗載せ台９を支持するエプロン２８と、横フレーム１４上方を通過するように平面視前後方向に形成されるとともに横フレーム１４の後方箇所を支点に上下揺操作可能に支持された植付深さ調整レバー１８及び掻取り量調整レバー１９と、横フレーム１４から前面３３及び側面３４を有するように上方に突出形成されて該前面３３に上下方向のガイド孔３７，３８が穿設されたガイド体２１とを備え、上記両レバー１８，１９を、それぞれ揺動案内可能にガイド孔３７，３８に挿通するとともに位置調整可能にガイド体２１に係止し、植付深さ調整レバー１８の上下揺動によって植付深さ調整レバー１８の後側と機械的に連結されたフロート１２の上下位置の変更を行うことにより植付深さ調整を行うとともに、掻取り量調整レバー１９の上下揺動によって掻取り量調整レバー１９の後側と機体的に連結されたエプロン２８の上下位置の変更を行うことにより植付部１１の苗載せ台９からの苗の掻取り量の調整を行う移植機の植付作業機において、上記２つのレバー１８，１９の少なくとも一方が、レバー１８からガイド体２１の側面側に突設された係止ピン３９と、該係止ピン３９を係止可能にガイド体２１の前記側面３４に穿設された複数の係止孔３４ａとにより、ガイド体２１に位置調整可能に係止されることを特徴としている。
【０００６】
第２に、ガイド体２１を横フレーム１４よりも前方側に突出形成し、ガイド体２１の該突出部分に複数の係止孔３４ａの少なくとも一部を位置させてなることを特徴としている。
【０００７】
第３に、ガイド体２１の前面のガイド孔３７との隣接箇所に係止ピン３９を有するレバー１８の位置指標となるラベル４２を貼付し、該レバー１８からラベル４２側側方に指示部４３を突出形成し、該指示部４３によってラベル４２を指示すことを特徴としている。
【０００８】
第４に、係止ピン３９を有するレバー１８から側方に係止プレート４４を突出形成し、該レバー１８が挿通されたガイド孔３７の係止プレート４４側側端部に、係止ピン３９を係止孔３４ａに係止された状態のレバー１８の係止プレート４４を挿入係止できる左右方向の切欠き状の係止溝３７ａを複数形成したことを特徴としている。
【発明の効果】
【０００９】
以上のように構成される移植機の植付作業機によれば、レバーが挿通されたガイド体のガイド孔の側端に切欠き状に形成された複数の係止溝の何れかに、レバーから側方に突出形成された係止プレートを挿入係止することにより、レバーをガイド体に位置調整可能に係止するものと比較して、レバーをガイド体に確実に係止せしめることが可能になるという効果がある。
【００１０】
また、ガイド体を横フレームよりも前方側に突出形成し、ガイド体の該突出部分に複数の係止孔の少なくとも一部を位置させたことにより、レバーの揺動支点からレバーを作業者が把持する前部までの距離が長くなり、梃子の原理から、レバーの揺動操作荷重が低減されるという効果がある。
【００１１】
また、ガイド体の前面のガイド孔との隣接箇所に係止ピンを有するレバーの位置指標となるラベルを貼付し、該レバーからラベル側側方に指標部を突出形成し、該指標部によってラベルを指示すことにより、係止孔と係止ピンによって係止されて本来視認し難いレバーの位置を容易に視認できるという効果がある。
【００１２】
さらに、係止孔と係止ピン及び係止プレートと係止溝によって、レバーをより確実に係止せしめることが可能になるとともに、係止プレートを複数の係止溝の何れかに係止したかを視認することにより、レバーの操作位置を容易に確認できるという効果がある。
【図面の簡単な説明】
【００１３】
【図１】本発明の移植機を適用した乗用田植機の全体側面図である。
【図２】植付作業機の構成を示す平面図である。
【図３】植付作業機の構成を示す斜視図である。
【図４】フロート支持機構及び植付け深さ調整レバーの構成を示す側面図である。
【図５】ガイド体の構成を示す斜視図であり、
【図６】ラベルの構成を示すガイド体の正面図である。
【図７】別実施形態に係るガイド体の構成を示す斜視図である。
【図８】別実施形態に係るラベルの構成を示すガイド体の正面図である。
【図９】植付深さ調整レバーの係止プレートの構成を示す側面図である。
【発明を実施するための形態】
【００１４】
図１は、本発明の移植機を適用した乗用田植機の全体側面図である。
図示する乗用田植機は、左右一対の前輪１，１及び後輪２，２を有する走行機体３と、走行機体３の後方に配置されて走行機体３に昇降リンク４を介して昇降可能に連結された植付作業機６とを備えている。走行機体３と植付作業機６との間には、伸縮作動によって植付作業機６を昇降駆動させる油圧シリンダである昇降シリンダ７と、走行機体３側のエンジン動力を植付作業機６側に伝動する作業伝動軸８とが設けられている。
【００１５】
上記植付作業機６は、背面側に苗を載置する載置面を有するように後方に向かって下方に急傾斜した苗載せ台９と、苗載せ台９の下方に配置されて苗載せ台９から苗を掻取って圃場に植付ける植付部１１と、圃場に接地される苗載せ台９下方の前後方向のフロート１２とを備えている。本乗用田植機は、フロート１２が圃場面に接地する位置まで植付作業機６を下降させ、植付部１１を駆動させた状態で、前後輪１，２によって走行機体３を走行させ、圃場での植付作業を行う。
【００１６】
次に、図２乃至４に基づき植付作業機６の構成について詳述する。
図２，３は、植付作業機の構成を示す平面図及び斜視図であり、図４は、フロート支持機構及び植付け深さ調整レバーの構成を示す側面図である。植付作業機６は、ローリング軸１３を介して昇降リンク４の左右傾斜自在（ローリング自在）に支持された左右方向の四角柱状の横フレーム１４と、横フレーム１４後方に配されて苗載せ台９を横フレーム１４（植付部１１）に対して上下位置調整可能に支持している苗載せ台支持機構１６と、横フレーム１４後方に配置されてフロート１２を横フレーム１４（植付部１１）に対して上下位置調整可能に支持しているフロート支持機構１７と、苗載せ台支持機構１６を介した植付部１１に対する苗載せ台９の相対的な上下位置調整を行う植付深さ調整レバー（レバー）１８と、フロート支持機構１７を介した植付部１１に対するフロート１２の相対的な上下位置調整を行う掻取り量調整レバー（レバー）１９と、上記両レバー１８，１９を上下揺動案内するガイド体２１と、横フレーム１４の後方斜め下方に位置して左右並列配置された複数の上記フロート１２及び植付部１１と、横フレーム１４の左右一方側（図示する例では右側）端部の後側に取付固定されて作業伝動軸８からの動力を各植付部１１に向かって変速伝動する伝動ケース２２と、を備えている。
【００１７】
上記複数の各植付部１１は、前後方向の植付ケース２３の後端部から回転駆動可能に左右突出する植付軸２４と、植付軸２４に取付けられて苗の掻取り及び植付けを行う植付爪２６（図１参照）等とから構成されている。植付ケース２３の前端部は、横フレームの下面及び後面側にブラケット２５を介して取付支持され、伝動ケース２２からの変速動力を植付軸２４及び植付爪２６に伝動して植付部１１を駆動するように構成されている。
【００１８】
上記苗載せ台支持機構１６は、複数（図示する例では３つ）の各植付ケース２３の上面側に対応部分が前後回転自在に支持される左右方向の単一の掻取り量調整軸２７と、苗載せ台９が載置された苗載せ台９下側の左右方向の単一のエプロン２８と、掻取り量調整軸２７とエプロン２８とを連結する左右並列配置された複数の連結アーム２９と、を備えている。掻取り量調整軸２７は一端側の植付ケース２３から他端側の植付ケース２３に至る長さを有し、該掻取り量調整軸２７の前後回動に伴い各連結アーム２９が上下揺動され、この連結アーム２９の上下揺動に伴い、エプロン２８（苗載せ台９）が上下方向に移動する。
【００１９】
上記掻取り量調整レバー１９は、横フレーム１４の上方を通過する平面視前後方向をなし、後端側及び前端側が前方に向かって上方傾斜するとともに中途側が略水平方向を向く形状に成形されている。この掻取り量調整レバー１９は、基端部である後端部が上記掻取り量調整軸２７に取付固定され、該掻取り量調整軸２７と一体で上下揺動するように構成されている。すなわち、横フレーム１４後方の掻取り量調整軸２７が掻取り量調整レバー１９の揺動支点になる。
【００２０】
そして、掻取り量調整レバー１９の上方揺動に伴い、掻取り量調整軸２７を介して苗載せ台９が植付部１１に対して下降し、苗載せ台９と植付部１１との距離が短くなり、植付部１１による苗載せ台９からの苗掻き取量が増加する。一方、掻取り量調整レバー１９の下方揺動に伴い、掻取り量調整軸２７を介して苗載せ台９が植付部１１に対して上昇し、苗載せ台９と植付部１１との距離が長くなり、植付部１１による苗載せ台９からの苗掻き取量が減少する。
【００２１】
上記フロート支持機構１７は、複数の各植付ケース２３の下面側に対応部分が前後回転自在に支持される左右方向の単一の植付深さ調整軸３１と、植付深さ調整軸３１から後方斜め下方に一体的に突設されて植付深さ調整軸３１と一体で上下揺動する支持アーム３２とを備えている。この支持アーム３２はフロート１２毎に設けられ、後方突出端側である先端部にフロート１２が前後水平姿勢保持可能に支持されている。該植付深さ調整軸３１の前後回動に伴い各支持アーム３２が上下揺動され、この支持アーム３２の上下揺動に伴い、各フローと１２が上下方向に変位する。
【００２２】
上記植付深さ調整レバー１８は、横フレーム１４の上方を通過する平面視前後方向をなし、後端側及び前端側が前方に向かって上方傾斜するとともに中途側が略水平方向を向く形状に成形されている。この植付深さ調整レバー１８は、基端側である後端側が上記植付深さ調整軸３１に取付固定され、該植付深さ調整軸３１と一体で上下揺動するように構成されている。すなわち、横フレーム１４後方の植付深さ調整軸３１が植付深さ調整レバー１８の揺動支点になる。
【００２３】
そして、植付深さ調整レバー１８の上方揺動に伴い、植付深さ調整軸３１を介してフロート１２が植付部１１に対して下降し、植付部１１が圃場面に介して上昇して、植付深さが浅くなる。一方、植付深さ調整レバー１８の下方揺動に伴い、植付深さ調整軸３１を介してフロート１２が植付部１１に対して下降し、植付部１１が圃場面に介して下降して、植付深さが深くなる。
【００２４】
また、上記植付深さ調整レバー１８及び掻取り量調整レバー１９は、左右隣接状態で、植付作業機の左右の一方側（図示する例では左側）に配置されている。
【００２５】
次に、図４乃至６に基づきガイド体２１の構成を詳述する。
図５は、ガイド体の構成を示す斜視図であり、図６はラベルの構成を示すガイド体の正面図である。ガイド体２１は、上記両レバー１８，１９兼用で１つ用意され、前面３３及び左右両側面３４，３４を有するように、左右及び上下方向に延びて左右方向に長い前方を向いた板状部材の左部及び右部を後方に屈曲形成することにより成形されている。
【００２６】
ガイド体２１の左右の各側面３４の下端縁後半部には外側方に向かってプレート状の取付部３６が一体的に延設されており、この左右の各取付部３６を横フレーム１４の左右における両レバー１８，１９配置側（左側）上面にボルト固定している。ガイド体２１は、このようにして横フレーム１４から上方突出形成されるように該横フレーム１４に固設され、この状態では、図４に示すように、ガイド体２１の前側半部が側面視で横フレーム１４から前方に位置した状態になる（図４参照）。
【００２７】
ガイド体２１の前面３３は、上方に向かって若干後方傾斜し、左右一対の上下方向のガイド孔３７，３８が穿設されている。左右の一方側（図示する例では左側）のガイド孔３７は、植付深さ調整レバー１８が挿通される植付深さ調整ガイド孔になり、他方側のガイド孔３８は、掻取り量調整レバー１９が挿通される掻取り量調整ガイド孔になる。
【００２８】
上述の植付深さ調整レバー１８は、中途部が上下方向の植付深さ調整ガイド孔３７に挿通され、該ガイド孔３７によって上下揺動が案内される。植付深さ調整レバー１８には、該レバー１８と近接する側の側面３４に向かって左右方向の係止ピン３９が一体的に突設される一方で、ガイド体２１の該側面３４には、該レバー１８を上下揺動させた場合における上記係止ピン３９の上下方向の移動軌跡に沿うように、複数（図示する例は５つ）の係止孔３４ａが穿設されている。
【００２９】
この上下並列配置された複数の係止孔３４ａは、係止ピン３９が係脱自在に挿通できるように形成されている。そして、係止ピン３９を複数の係止孔３４ａの何れかに挿通係止させることにより、植付深さ調整レバー１８が所定の上下揺動位置で係止され、植付深さが所定深さに定められる。すなわち、複数の係止孔３４ａ及び係止ピン３９がガイド体２１にレバー１８を上下揺動位置調整可能に係止させ、この複数の係止孔３４ａのうちから係止ピン３９を係止させる係止孔３４ａを択一的に選択することによって、植付深さの調整を行う。
【００３０】
ちなみに、前述した通り、ガイド体２１の前半部は、横フレーム１４から前方に突出しており、複数の係止孔３４ａの内、少なくとも一部（図示する例では下側４つの係止孔３４ａ）が横フレーム１４よりも前方に位置した状態になる。このため、該レバー１８を係止するガイド体２１を横フレーム１４に設けた場合でも、横フレーム１４の後方に位置する該レバー１８の揺動支点と、該レバー１８の係止位置との距離を長くすることができるため、梃子の原理により、レバー１８を係止させる際に必要が耐荷重設定を少なくすることが可能になる。
【００３１】
上述の掻取り量調整レバー１９は、中途部が上下方向の掻取り量調整ガイド孔３８に挿通され、該ガイド孔３８によって上下揺動が案内される。掻取り量調整レバー１９には、該ガイド孔３８の植付深さ調整レバー１８側（図示する例では左側）側端部に向かって、掻取り量調整レバー１９の形成方向の沿う係止プレート４１が突設されている。一方、掻取り量調整ガイド孔３８における上記係止プレート４１側の上下方向の上記側端部には、左右方向の係止溝３８ａが該ガイド孔３８側と連接されるように開放された状態で、切欠き状に凹設されている。
【００３２】
この係止溝３８ａは、所定間隔を介して上下方向に並べられるように複数設けられ、係止プレート４１が係脱自在に挿入係止できるように形成されている。そして、係止プレート４１を複数の係止溝３８ａの何れかに挿入係止させることにより、掻取り量調整レバー１９が所定の上下揺動位置で係止され、苗載せ台９からの苗の掻取り量が所定量に定められる。すなわち、複数の係止溝３８ａ及び係止プレート４１がガイド体２１に該レバー１９を上下揺動位置調整可能に係止させ、この複数の係止溝３８ａのうちから係止プレート４１を係止させる係止溝３８ａを択一的に選択することによって、苗の掻取り量調整を行う。
【００３３】
ちなみに、上記複数の係止溝３８ａは、前面３３側から目視できるため、係止プレート４１が、複数の係止溝３８ａの内、どの係止溝３８ａに係止されているかを確認することにより、掻取り量調整レバー１９の上下揺動位置を容易に知ることが可能になる。この上下揺動位置確認によって、作業者は苗載せ台９からの苗掻取り量を知ることができる。すなわち、係止プレート４１は、苗の掻取り量を指示す掻取り量指示部にもなる。
【００３４】
これに対応して、ガイド体２１の前面３３における両ガイド孔３７，３８の間には、両ガイド孔３７，３８に隣接した状態で、上下方向のラベル４２が貼付されている。
【００３５】
ラベル４２の左右半部の内、掻取り量調整レバー１９側半部には、掻取り量調整レバー１９用の位置指標情報が記載された掻取り量指標部Ａが設けられている。掻取り量指標部Ａには、上端部に「多」の文字が記載され、下端部「少」の文字が記載されている。作業者は、上記掻取り量指示部４１によって掻取り量指標部Ａの所定箇所が指示された状態を、目視することによって、苗の掻取り量を確認することができる。
【００３６】
一方、ラベル４２の左右半部の内、植付深さ調整レバー１８側半部にも、植付深さ調整レバー１８用の位置指標情報が記載された植付深さ指標部Ｂが設けられている。これに対応して、植付深さ調整レバー１８からは、上記ラベル４２側側方に向かって指示ピン（指示部）４３が一体的に突出形成される。該指示ピン４３は、ガイド体２１の前面３３の前方に常時位置している。
【００３７】
上記植付深さ指標部Ｂには、上端部に「浅」の文字が記載され、下端部に「深」の文字が記載され、その間に係止孔３４ａの位置を示す情報が複数の数字（図示する例では１〜５までの数字）によって記載されている。作業者は、上記掻取り量指示部４３によって、植付深さ指標部Ｂのどの数字が指示されているかを目視することによって、どの係止孔３４ａに係止ピン３９が係止されているかを認知でき、これによって、植付深さを確認することができる。すなわち、指示ピン４３は植付深さ指示部になる。
【００３８】
次に、図７乃至９に基づき本発明の別実施形態について前述の例と異なる部分を説明する。
図７は、別実施形態に係るガイド体の構成を示す斜視図であり、図８は、別実施形態に係るラベルの構成を示すガイド体の正面図であり、図９は、植付深さ調整レバーの係止プレートの構成を示す側面図である。
【００３９】
植付深さ調整レバー１８からは、係止ピン３９の他、該ガイド孔３７の係止孔３４ａ側（図示する例では左側）側端部に向かって、植付深さ調整レバー１８の形成方向に沿う係止プレート４４が突設されている。一方、植付深さ調整量調整ガイド孔３７における上記係止プレート４４側の上下方向の上記側端部には、左右方向の係止溝３７ａが該ガイド孔３７と連接されるように開放された状態で、切欠き状に凹設されている。
【００４０】
この係止溝３７ａは、所定間隔を介して上下方向に並べられるように複数設けられ、係止プレート４４が係脱自在に挿入係止できるように形成される。くわえて、この複数の各係止溝３７ａは、係止孔３４ａに係止ピン３９を挿通係止させた際に、係止プレート４４が挿入係止できる位置に配置されている。そして、係止ピン３９及び係止孔３４ａのみならず、係止プレート４４及び係止溝３７ａによっても、掻取り量調整レバー１９をガイド体２１に係止可能である。
【００４１】
ちなみに、上記複数の係止溝３７ａは、前面３３側から目視できるため、係止プレート４４が、複数の係止溝３７の内、どの係止溝３８に係止されているかを確認することにより、植付深さ調整レバー１８の上下揺動位置を容易に知ることが可能になる。この上下揺動位置確認によって、作業者は植付深さを知ることができる。すなわち、係止プレート４４は、上述の指示ピン４３と同様の機能を有する植付深さ指示部になる。これに対応して、上述のラベル４２とは別に、ガイド体２１の前面３３における係止孔３４ａを有する側面３４と隣接する箇所には、ラベル４６が貼付され、このラベル４６が上記植付深さ指標部Ｂになる。
【００４２】
また、この植付深さ指示部４４は側面視Ｌ字状に屈曲形成され、係止ピン３９の周面に２箇所で溶接されており、植付深さ指示部４４と係止ピン３９の強度を相互に補強している。
【符号の説明】
【００４３】
９  苗載せ台
１１  植付部
１２  フロート
１４  横フレーム
１８  植付深さ調整レバー（レバー）
１９  掻取り量調整レバー（レバー）
２１  ガイド体
２８  エプロン
３３  前面
３４  側面
３４ａ  係止孔
３７  植付深さ調整ガイド孔（ガイド孔）
３７ａ  係止溝
３８  掻取り量調整ガイド孔（ガイド孔）
３９  係止ピン３９
４２  ラベル
４３  指示ピン（指示部，植付深さ指示部）
４４  係止プレート（植付深さ指示部）
【図１】
2010226993.tif 000003
【図２】
2010226993.tif 000004
【図３】
2010226993.tif 000005
【図４】
2010226993.tif 000006
【図５】
2010226993.tif 000007
【図６】
2010226993.tif 000008
【図７】
2010226993.tif 000009
【図８】
2010226993.tif 000010
【図９】
2010226993.tif 000011